(57)【特許請求の範囲】
【請求項１】
略四角形の平板状であり指で押さえることにより入力する入力部のある表面とその反対側の裏面と前記表面と前記裏面との間の側面とを有する携帯電子端末に取り付けられ、前記入力部の前記側面近傍から前記表面に対して垂直方向に突き出たアームを有し、前記アームの先端は前記表面からの長さが２ｃｍ以上７ｃｍ以下であり、掌の中央部を前記アームの先端に当て、前記裏面上に親指以外の複数の指を当て、前記掌の中央部と前記親指以外の複数の指にて前記携帯電子端末と前記アームとを挟んで握ることによって保持しながら、親指で入力部を押さえて入力できるようにした携帯電子端末保持具。
【請求項２】
前記アームの先端が幅広で丸みがある形状である請求項１に記載の携帯電子端末保持具。
【請求項３】
前記裏面上の親指以外の複数の指を当てる部分に滑り止めを有する請求項１に記載の携帯電子端末保持具。
【請求項４】
前記裏面上の親指以外の複数の指を当てる部分に指先の引っ掛かる突起を有する請求項１に記載の携帯電子端末保持具。
【請求項５】
前記携帯電子端末の前記表面を覆う表面カバーを有し、前記表面カバーを開いて側面に平行な直線で前記表面カバーを折り曲げることにより前記アームを形成し、前記表面カバーを側面に平行な直線で更に折り曲げ前記表面カバーの端部を前記裏面に固定して前記突起を形成する請求項４に記載の携帯電子端末保持具。
【請求項６】
前記アームの根元に回転軸が前記側面に平行な蝶番を設け、前記携帯電子端末の不使用時には、前記蝶番が回転することにより前記アームが折りたたまれる請求項１に記載の携帯電子端末保持具。
【請求項７】
前記アームに連続し前記携帯電子端末側に凹の湾曲部を有する請求項１に記載の携帯電子端末保持具。
【請求項８】
前記アームが透明である請求項１に記載の携帯電子端末保持具。
【請求項９】
前記アームに中空部分を有する請求項１に記載の携帯電子端末保持具。
【請求項１０】
締め付け部を設け、前記締め付け部にて前記側面を挟んで締め付けることにより前記アームを前記携帯電子端末に取り付ける請求項１に記載の携帯電子端末保持具。
【請求項１１】
前記締め付け部が側面に沿ってスライドすることにより、前記アームが前記側面に沿ってスライドする請求項１０に記載の携帯電子端末保持具。
【請求項１２】
複数の前記側面の近傍それぞれに前記アームを有する請求項１に記載の携帯電子端末保持具。
【請求項１３】
前記アームに繋がった挿入棒を有し、前記裏面に取り付けられた固着部を有し、前記固着部が前記側面側に開口した孔を有し、前記挿入棒が前記孔に挿入されることにより前記アームが前記携帯電子端末に取り付けられる請求項１に記載の携帯電子端末保持具。
【請求項１４】
略四角形の平板状であり指で押さえることにより入力する入力部のある表面とその反対側の裏面と前記表面と前記裏面との間の側面とを有する携帯電子端末の前記側面近傍にアームを取り付け、前記アームの先端の前記表面から突き出た長さが２ｃｍ以上７ｃｍ以下であり、前記アームの前記先端を掌の中央部に当て、前記裏面上に親指以外の複数の指を当て、前記掌と前記親指以外の複数の指にて前記携帯電子端末と前記アームとを挟んで保持し、親指で入力部を押さえて入力する、携帯電子端末保持方法。
【請求項１５】
請求項１に記載の携帯電子端末保持具を備えた携帯電子端末。
【発明の詳細な説明】
【技術分野】
【０００１】
本発明は携帯電子端末を仰視で保持しながら操作性を高める保持具および保持方法に関する。
【背景技術】
【０００２】
携帯電子端末とは、携帯して情報を入出力する電子機器である。携帯電話機、携帯パーソナルコンピューター、電子辞書、電子手帳、携帯ゲーム機などのことである。このうち、本発明が対象とするのは、全体が略四角形の平板状であり、指で押さえることにより入力する入力部のある表面を持つものである。その代表的なものはスマートフォンと呼ばれる携帯電話機である。スマートフォンは手の中に握り込める小さなものから、最近のスマートフォンの普及とその大画面化の進展により大きなサイズのものに形状が変化しつつある。スマートフォンの画面サイズは従来は対角線で4インチ以下だったものが、最近は対角線で5インチ程度以上のものが大きくシェアを伸ばしてきている。画面が大きくなると、当然全体寸法も大きくなる。従来の画面サイズ４インチ程度のものでは横幅６ｃｍ以下であったが、現在のスマートフォンはそれより画面サイズが大きくなってきており、それにつれて横幅は６ｃｍ以上のものが増加してきている。
【０００３】
これらのスマートフォンに入力するのは、一般的には指で表示面を押さえることによってなされる。即ち、指の持つ静電容量を検知し入力する入力方式が最近は多く用いられている。表示面を押さえるのは、多くは手の親指または人差し指で行われる。親指で行う場合はスマートフォンを持っている方の手の親指を使用し、人差し指で行う場合はスマートフォンを持っている手と反対の手の人差し指を使用する。即ち、人差し指を使用する場合はスマートフォンを両手で扱うことになるが、親指を使用する場合はスマートフォンを片手だけで使用することが出来るので、一般的には、親指を使用して入力する方が便利であると言える。
【０００４】
スマートフォンに親指入力するときには、スマートフォンの表面を押すことになるので、当然、スマートフォンを固定しておく必要がある。スマートフォンのサイズが小さい、即ち、横幅が狭いときには、スマートフォンの左と右との各側面を片方は人差し指や薬指の指先で、もう一方を掌の拇指球や小指球で挟んで固定できる。しかし、スマートフォンの横幅が６ｃｍを超えるような大きなものになると、このようにして挟んだ場合は、肝心の親指の可動領域が狭くなってしまい、押して入力出来ない箇所が広がる。そこで、持ち方を変えて親指で充分に入力するために、スマートフォンを人差し指、中指、薬指の三本の指の腹の上に載せて親指入力するという方法で多くの人が入力している。しかしながら、このような入力方法では、スマートフォンを単に指先の上に載せているだけなので、落としやすいという難点がある。また、ソファーやベッドで寝転んで入力しようとすると、指とスマートフォンとの上下が逆になってしまうので、スマートフォンは確実に手から落下し入力どころではない。
【０００５】
このようなスマートフォンの落下を防ぎ確実に保持する手段として、スマートフォンをアームスタンドに固定するという方法がある。即ち、長い支柱の付いたアームスタンドの台座部分をソファーやベッドの端に固定して、その支柱の先端にスマートフォンを取り付け、手で持たずに落下を防ぐという方法である。図３６は従来の携帯電子端末保持具の使用時の斜視図である。図３６に見るように、ソファーの端やベッド背板５６をクランプ５４ではさみ、蝶ネジ５５を締め付けることによりアームスタンド５１を固定する。その支柱５３の先端のクリップ５２にスマートフォン１を挟むことによって取り付ける。即ち、スマートフォン１はバネで閉じる大きなクリップ５２で挟んで固定されている。支柱５３は角度を自在に変えて固定することができるので、スマートフォン１の表面を下向きにして固定することもできる。そして、この表面が下向きに固定されたスマートフォン１の下に顔と手とが位置するように操作者がベッドに寝転ぶと、寝たままスマートフォン１の画面を見ながら指先で入力することが容易に出来る。
【０００６】
しかしながら、このような入力方法は種々の欠点が有る。先ず、ベッドとアームスタンドとの固定作業、スマートフォンとアームスタンドとの固定作業が各々面倒くさい。次に、その固定した場所でしかスマートフォンを扱えない。そして、スタンド自体が重く嵩張るものなので、どこにでも自由に持って歩けない。更には、支柱が柔らかいものであると、指で押さえて入力する時にスマートフォンが揺れて入力しづらくなる。
【０００７】
本発明は、上記の点に鑑みて、入力するときに手から落ち難く、また、寝転んで入力するときにも片手で入力が出来て、持ち運びが容易であるような携帯電子端末の保持具を提供するものである。
【先行技術文献】
【特許文献】
【０００８】
【特許文献１】特開２０１２−１２５４６６号公報
【特許文献２】特開２００４−０１２６０６号公報
【特許文献３】特開２００３−２３２３０９号公報
【発明の概要】
【発明が解決しようとする課題】
【０００９】
スマートフォンの大型化に伴い、片手で入力すようとするときに保持が不安定となり落下しやすい、また、寝転んでの仰視での片手入力が出来ない、などの問題が発生している。
【課題を解決するための手段】
【００１０】
上記の課題を解決するために、本発明は、スマートフォン等の略四角形の平板状で指で押さえることにより入力する入力部のある表面と裏面と側面とを有する携帯電子端末に、入力部の真横の側面近傍から表面に垂直に突き出て固定されたアームを設け、掌の中央部をアームの先端に当て、裏面上に親指以外の指を当て、掌と親指以外の指にて携帯電子端末とアームとを挟んで保持をする携帯電子端末保持具を提供する。
【００１１】
この保持具によると、掌と人差し指、中指、薬指との間で挟むことにより、携帯電子端末がしっかりと固定されるので、逆さにしても手から落ちることがなく、しかも親指が自由に使用できるので、そのまま仰視の角度で携帯電子端末に入力することができる。
【発明の効果】
【００１２】
本発明の携帯電子端末保持具は、簡便な手段で、携帯電子端末の保持を確実にしながら、且つ、寝転んでも片手だけで入力することが可能となる。
【図面の簡単な説明】
【００１３】
【図１】図１は本発明の携帯電子端末保持具の第１の実施形態の使用時の斜視図。
【図２】図２は本発明の携帯電子端末保持具の第１の実施形態の使用時の矢示図。
【図３】図３は本発明の携帯電子端末保持具の第１の実施形態の表面の斜視図。
【図４】図４は本発明の携帯電子端末保持具の第１の実施形態の裏面の斜視図。
【図５】図５は本発明の携帯電子端末保持具の第１の実施形態の使用者の正面図。
【図６】図６は本発明の携帯電子端末保持具の第２の実施形態の表面の斜視図。
【図７】図７は本発明の携帯電子端末保持具の第２の実施形態の使用時の斜視図。
【図８】図８は本発明の携帯電子端末保持具の第２の実施形態の不使用時の表面の斜視図。
【図９】図９は本発明の携帯電子端末保持具の第２の実施形態の不使用時の裏面の斜視図。
【図１０】図１０は本発明の携帯電子端末保持具の第２の実施形態の異なる使用時の表面の斜視図。
【図１１】図１１は本発明の携帯電子端末保持具の第３の実施形態の異なる使用時の斜視図。
【図１２】図１２は本発明の携帯電子端末保持具の第３の実施形態の表面の斜視図。
【図１３】図１３は本発明の携帯電子端末保持具の第３の実施形態の使用時の斜視図。
【図１４】図１４は本発明の携帯電子端末保持具の第３の実施形態の使用時の斜視図。
【図１５】図１５は本発明の携帯電子端末保持具の第３の実施形態の使用時の矢示図。
【図１６】図１６は本発明の携帯電子端末保持具の第３の実施形態の不使用時の裏面の斜視図。
【図１７】図１７は本発明の携帯電子端末保持具の第３の実施形態の異なる使用時の表面の斜視図。
【図１８】図１８は本発明の携帯電子端末保持具の第３の実施形態の異なる使用時の斜視図。
【図１９】図１９は本発明の携帯電子端末保持具単体の第４の実施形態の斜視図。
【図２０】図２０は本発明の携帯電子端末保持具の第４の実施形態の裏面の斜視図。
【図２１】図２１は本発明の携帯電子端末保持具の第４の実施形態の裏面の斜視図。
【図２２】図２２は本発明の携帯電子端末保持具単体の第５の実施形態の斜視図。
【図２３】図２３は本発明の携帯電子端末保持具の第５の実施形態の裏面の斜視図。
【図２４】図２４は本発明の携帯電子端末保持具の第５の実施形態の裏面の斜視図。
【図２５】図２５は本発明の携帯電子端末保持具単体の第６の実施形態の斜視図。
【図２６】図２６は本発明の携帯電子端末保持具単体の第６の実施形態の不使用時の斜視図。
【図２７】図２７は本発明の携帯電子端末保持具の第７の実施形態の不使用時の表面の斜視図。
【図２８】図２８は本発明の携帯電子端末保持具の第７の実施形態の使用時の表面の斜視図。
【図２９】図２９は本発明の携帯電子端末保持具の第８の実施形態の裏面の斜視図。
【図３０】図３０は本発明の携帯電子端末保持具の第８の実施形態の裏面の斜視図。
【図３１】図３１は本発明の携帯電子端末保持具の第８の実施形態の裏面の斜視図。
【図３２】図３２は本発明の携帯電子端末保持具の第８の実施形態の裏面の異なる使用時の斜視図。
【図３３】図３３は本発明の携帯電子端末保持具の第８の実施形態の異なる使用時の斜視図。
【図３４】図３４は本発明の携帯電子端末保持具の第９の実施形態の使用時の裏面の斜視図。
【図３５】図３５は本発明の携帯電子端末保持具の第９の実施形態の不使用時の裏面の斜視図。
【図３６】図３６は従来の携帯電子端末保持具の使用時の斜視図
【発明を実施するための形態】
【００１４】
以下、本発明の実施の形態について、図面を参照して説明する。
【実施例１】
【００１５】
図１〜図５を参照して、第１の実施の形態の携帯電子端末保持具の構成について説明する。図１は本発明の携帯電子端末保持具の第１の実施形態の使用時の斜視図である。図２は本発明の携帯電子端末保持具の第１の実施形態の使用時の矢示図である。図３は本発明の携帯電子端末保持具の第１の実施形態の表面の斜視図である。図４は本発明の携帯電子端末保持具の第１の実施形態の裏面の斜視図である。 図５は本発明の携帯電子端末保持具の第１の実施形態の使用者の正面図である。
【００１６】
図３において、携帯電子端末１の表面２には入力部３があり、入力部３は同時に液晶にて表示ができる構造となっている。携帯電子端末の具体例としては縦長さ約１２ｃｍ、横幅約７ｃｍ、厚み約１ｃｍのスマートフォンである。側面は、右の側面５ａ、左の側面５ｂ、上の側面５ｃ、下の側面５ｄの４つに分かれている。この携帯電子端末１の側面５ａ近傍の入力部３の真横からアーム７ａが表面に対してほぼ垂直方向に突き出て、携帯電子端末１に取り付けられている。アーム７ａの端に有るアーム先端６ａは表面２から前方に約４ｃｍ延伸している。ここで前方とは表面２に垂直で携帯電子端末１から外に向かう方向である。図４には図３と同じ携帯電子端末１の裏面が示されている。共通する部分には同じ符号を付している。アーム７ａ及び固着部８ａは金属板などの剛性の高い横幅５ｃｍの一枚の板状材料で作られ、側面５ａ近傍で折り曲げ部９の場所にて９０度曲げられている。このアーム７ａと固着部８ａと折り曲げ部９ａとが保持具ということになる。固着部８ａはその裏側に配した粘着材１０によって携帯電子端末１の裏側に貼り付けられて固定されている。アーム７ａは側面５ａの近傍から表面２に対して略垂直方向に突き出している。固着部８ａによる固定と、アーム７ａを構成する板状材料の高い剛性により、アーム先端６ａは表面２から約４ｃｍ延伸して固定されている。また、固着部８ａの表面には細かい凹凸のある粗面部１１があり、滑りにくくなっている。
【００１７】
図１でこのように構成された携帯電子端末１とその保持具を実際に手に持ってどのように使用するかを説明する。図３や図４と同じ構成要素については同じ符号を付している。右手に持つ時に、右手の掌３６の中央にアーム先端６ａを置く。アーム先端６ａは、最大横幅５ｃｍと幅広であり、また丸みがあるので、掌３６に強く刺さり込まない。アーム先端６ａは、好ましくは親指の付け根に連なる掌３６の厚い部分である拇指球３７か、小指の付け根に連なる掌３６の厚い部分である小指球３８かのすぐ内側に当てる。そのほうが掌に引っ掛かり易いためである。そして、そのまま、親指３１以外の指即ち人差し指３２と中指３３と薬指３４と小指（図示せず）とを携帯電子端末１の裏面４上にまわして裏面４を押さえる。このとき、裏面４に固定されている固着部８ａも同時に押さえることになる。固着部８ａの表面は平面であるが、ここには粗面部１１があるので、指の滑り止めとなる。そして、そのまま、掌３６と親指３１以外の指とで携帯電子端末１とアーム７ａとを挟むように軽く握る。握っても粗面部１１の摩擦によって指は滑らず、アーム先端６ａも掌３６に引っ掛かっているので、携帯電子端末１は右手の中で手に対して固定され安定に保持することができる。
【００１８】
この時の握りにより保持することを更に解りやすく説明する為に図２を用いる。図２は図１の矢印Ａ方向から見た矢示図である。図１、図３、図４と同じ構成要素については同じ符号を付している。人差し指３２や中指３３などの親指３１以外の指と掌３６との間に握り込まれた携帯電子端末１とアーム７ａとには握りの力による応力が加わるが、アーム７ａと固着部８ａとが折り曲げ部９ａで繋がっており、これらは高い剛性を持っているので殆ど変形しない。携帯電子端末１と固着部８ａとは粘着材１０にて固定されている。そして、親指以外の指は固着部８ａの平面に設けられた粗面部１１に押し付けられて静止摩擦力で静止し、アーム先端６ａは掌３６の中に若干食い込むような格好になって引っ掛かって静止している。そこで、この図に見る形で保持が安定する。そして、このように軽く力を入れて握っても、アーム７ａ、折り曲げ部９、固着部８ａは剛性が高いので殆んど変形しない。アーム先端６ａは表面２から約４ｃｍ延伸している。
【００１９】
なお、粗面部１１の滑り止めとしては、固着部８ａの表面をサンドブラスト等で粗面化するのも良いが、固着部８ａの表面に摩擦力の大きいウレタンフォームなどのクッション材を取り付けてもよい。
【００２０】
このように保持した時に、右手の親指３１は上記の右手による保持の機構には全く関与していないので、保持とは独立して自由に動かすことができる。親指３１の第一関節、第二関節が自由に動かせるだけではなく、拇指球３７も動かすことができる。しかも拇指球３７の内側がアーム先端６ａにより表面２の入力部３から前方におよそ人差し指と中指の指の股から拇指球までの長さで、適当に遠ざけられているので、親指３１はその先端だけで入力部３の各部を押すことができる。「先端だけで押す」ことの重要性および詳細は後述する。
【００２１】
しかも、アーム７ａが入力部３の真横から突き出ているので、そのアーム先端６ａに掌３６を置くことにより、親指３１の先端で押すことのできる範囲を広く確保することができる。アームが入力部の真横に無いと、アーム先端６ａの位置に掌３６があり掌３６から親指３１の先端までの距離は有限なので、親指３１から入力部３までが遠くなり、当然、親指３１で押せる入力部の範囲は狭くなる。ただし、掌３６と親指以外の指とで握るように持つ関係上、親指３１が押すことのできる範囲は、入力部の若干上端側、即ち上の側面５ｃ側に偏る。それを考慮すると、アーム７ａは入力部の真横は真横でも、若干下端側、即ち側面５ｄ側に寄せる方が入力部３全体に親指３１の先端が行き渡り易くなる。
【００２２】
また、アーム７ａは、側面５ａの近傍から突き出ている。具体的には、アーム７ａは側面５ａに接する位置で表面２側の前方に突き出ている。もし、側面５ａから遠く離れた位置でアーム７ａが突き出しているとすると、アーム先端の位置に掌があり、掌から親指の先端までの距離は有限なので、親指は入力部から遠ざかり、親指で押せる範囲が狭くなる。逆に、もし、アームが側面５ａより内側の携帯電子端末１の表面２から突き出しているとすると、表面２の殆どのエリアには入力部３があるので、その突き出たアームの根元の位置の入力ができない、あるいはアームの根元の表示が見えないという事態が発生する。即ち、アームは側面近傍から突き出していることが親指入力にとって好適な条件である。具体的には約１ｃｍ以上離れると、離れるに従って入力範囲が狭くなるという影響がでてくる。
【００２３】
次に、親指の「先端だけで押す」ことの重要性を説明する。もしも、アーム７ａが無い状態で携帯電子端末１を握り込んだとしたら、親指３１と他の指とで携帯電子端末１をサンドイッチ状にべったりと挟んで持つことになり、携帯電子端末１を保持することはできるかもしれないが、入力する場合に親指３１の指の腹が広い範囲で入力部を押さえてしまい、入力箇所を特定できず、誤入力または入力不能となってしまう。更に、他の持ち方として、もしも親指以外の指と拇指球３７とで携帯電子端末１を挟み持つ持ち方をすると、親指３１は携帯電子端末１の側面５ａより外側に外れてしまい、全く入力不能となってしまう。本願発明ではこのような不都合は発生せず、アーム先端６ａが拇指球３７を適当に遠ざけているので、親指３１の先端だけを入力部３に押し当てることができ、所望の狭い一箇所だけの入力が可能となるのである。
【００２４】
アーム先端６ａの表面２からの長さは、本実施の形態では４ｃｍであるが、これは一例である。表面２から前方に人差し指３２と中指の指３３の股から拇指球３７までの長さ程度が適当である。即ち、親指３１の根元が表面２から前方に適当な長さで浮いていることが必要である。その長さは、個々の人間の手の大きさにより異なる。この長さを長くすると、親指３１と入力部３との距離が遠くなるので、親指の先が入力部に届かなくなる、または届く範囲が狭くなる。逆に、この長さを短くすると、親指の届く範囲は広くなるのであるが、親指３１の指先の腹が入力部３の広い範囲をべったりと一度に押してしまうことになり誤入力の原因となる。更に、この長さが短い即ちアームが低いと掌３６での握り固定に大きな力を要することになる。一般的には、約２ｃｍから約７ｃｍの範囲が適当である。子供や手の小さい人に対して約２ｃｍ、手の大きな人に対して約７ｃｍとなる。
【００２５】
本願発明の更に大きな特長は、このようにアーム７ａと携帯電子端末１とを保持したまま、携帯電子端末１の表面２を下向き（地面方向）にしても落ちることが無く、しかも下向きでも楽に親指で押して入力できることである。図５は本発明の携帯電子端末保持具の第１の実施形態の使用者の正面図である。この使用者は、ベッド４６に仰向きに寝て、枕４５に頭４１を載せ、右の腕４３を体の横に伸ばし、肘をほぼ直角に曲げて浮いた手４４で携帯電子端末１とアーム７ａとを軽く握り、頭４１を少し右に向けて顔４２を携帯電子端末１のほうに向け、仰視で表面２を見ながら右手親指３１で入力部３に入力を行っている。
【００２６】
この場合でも、先に説明した通り、 掌３６（図示せず）と親指３１以外の指とで携帯電子端末１とアーム７ａとを軽く握ることにより、携帯電子端末１が手に対して固定できると共に、親指３１は入力部３と適当な間隔を置いて自由に動かすことができる。そして、アーム先端６ａ（図示せず）が携帯電子端末１のほぼ真下（地面方向）に位置しているので、携帯電子端末１の重さを掌３６で支えている。掌３６のほぼ真下に腕４３が有るので、結局携帯電子端末１の重さは腕４３で支えることになる。更に、右肘もベッドに付いているので、最終的には、自分の腕ではなくベッドが携帯電子端末１の重さを支えることになり、保持が非常に楽なものとなる。もしも、携帯電子端末がスマートフォンよりもっと重いタブレット端末である場合には、この保持の容易さによる効果が更に顕著となる。
【００２７】
なお、アーム先端６ａは、最大横幅５ｃｍと幅広であり、また丸みがあるので、掌３６に強く刺さり込まない。従って、長時間保持しても掌３６に痛みを感じることがない。また、アーム先端６ａは掌３６の中央部に置くのが握っても滑りにいので好適であるが、特に、掌３６の中央部の拇指球３７または小指球３８の内側の少し窪んだ部分に当てると、引っ掛かったようになり更に滑りにくい。このアーム先端６ａを更に滑りにくくする為に、先端にゴムや発泡スポンジなどの弾力性材料を用いるとなお良い。
【００２８】
なお、固着部８ａは粘着剤１０にて携帯電子端末１に固着している。本実施例の粘着剤１０は、エステル系ポリウレタンポリマーを使用しており、固着部の一部分にゆっくりと力を加えると端から徐々に剥がすことができるものである。使用しないときには、そのようにして時間をかけて取り外すことができる。そして、それを再び使用する場合もゆっくりと押し付けてから時間を置くと強力に粘着する。
しかしながら、固着部８ａを固定する手段はこの粘着剤に限ったものではない。不使用時も固着しっぱなしでもよいなら、上記粘着剤の替わりにエポキシなどの硬化型の接着剤を使用してもよい。簡単に取り付け取り外しをしたいなら、粘着剤１０に替えて、可撓性合成樹脂の円形吸盤を固着部８ａの裏側に取り付けておいて、携帯電子端末１に着脱するのも容易に実現できる方法である。
【実施例２】
【００２９】
図６〜図１１を参照して、第２の実施の形態の携帯電子端末保持具の構成について説明する。各図で第１の実施の形態と同じ構成要素については同じ符号を付す。図６は図３と同様、保持具を携帯電子端末１に取り付けた状態を主に携帯電子端末１の表面２側から見た斜視図で表している。携帯電子端末の具体例としてはスマートフォンである。携帯電子端末１の側面５ａに、保持具の一部である固着部８ｂの一部が接している。固着部８ｂの他の大部分は携帯電子端末１の裏面４側にあり、携帯電子端末１と粘着している。固着部８ｂの表面に取り付けられたブロック１２ａおよびブロック１２ｂの一部が側面５ａ側に少し突き出している。ブロック１２ａもブロック１２ｂもその大部分は裏面４側にある。このブロック１２ａとブロック１２ｂとの間に剛性の高いアーム７ｂがある。アーム７ｂはブロック１２ａの近くにある細い根元部分と先端の概略半円形の丸い部分とでできている。即ち、アーム７ｂは根元が細く先端が幅広になっている。アーム７ｂの根元の端は軸になっており、軸の両端はブロック１２ａとブロック１２ｂとにそれぞれ設けられた軸穴１３ａと軸穴１３ｂとに差し込まれて抜けないようになっている。アーム７ｂは表示部を兼ねる入力部３の真横の側面５ａ近傍から表面２に対してほぼ垂直方向に突き出ている。上記の機構により、アーム先端６ｂは、表面２から前方に約４ｃｍ延伸している。
【００３０】
図７は本発明の携帯電子端末保持具の第２の実施形態の使用時の斜視図である。即ち、図７は図１と同様に、上記のように構成された携帯電子端末１とその保持具を実際に手に持ったときの使用状態を表す図である。図６と同じ構成要素については同じ符号を付している。右手の掌３６の中央にアーム先端６ｂを置く。アーム先端６ｂは、好ましくは親指の付け根に連なる掌３６の厚い部分である拇指球３７か、小指の付け根に連なる掌３６の厚い部分である小指球３８かのすぐ内側に当てる。そして、親指３１以外の指（図示せず）を携帯電子端末１の裏面４上にまわして裏面４を押さえる。そしてそのまま、掌３６と親指３１以外の指とで携帯電子端末１とアーム７ｂとを挟み、握るように軽く力を入れる。握っても指は滑らず、アーム先端６ａも掌３６に引っ掛かっているので、携帯電子端末１は右手の中で手に対して固定され安定に保持することができる。裏面４上にまわした指が滑らない理由については摩擦力の他に大きな要素がある。それは、後で図９を用いた説明の中で述べる。
【００３１】
このように保持された携帯電子端末１の入力は、第１の実施の形態で説明したものと同様である。
即ち、親指３１は上記の保持の機構には全く関与していないので、保持とは独立して自由に動かすことができる。しかも拇指球３７がアーム先端６ｂにより表面２から前方に約４ｃｍという延伸の長さを設けられているので、親指３１はその先端だけで入力部３の各部を押すことができる。更には、このようにアーム７ｂと携帯電子端末１とを保持したまま、携帯電子端末１の表面２を下向き（地面方向）にしても携帯電子端末１は落下することが無く、しかも表面２が下向きのままでも楽に親指で押して入力できることである。即ち、仰向けに寝転んで仰視で携帯電子端末に片手入力ができる。
【００３２】
また、側面５ａ近傍にあるアーム７ｂは、側面５ａに沿った固着部８ｂに接している。固着部８ｂは約２ｍｍの厚みがある。即ち、アーム７ｂは側面５ａから２ｍｍの距離で側面５ａに沿って表面２にほぼ垂直に前方に突き出ている。側面５ａに直接接してはいないが、その近傍にある。もしも、固着部８ｂの厚みが厚くなると、アームは側面５ａ近傍から遠ざかり、その先端の位置に掌３６があり、掌３６から親指３１の先端までの距離は有限なので、親指３１は入力部３から遠ざかり、親指で押せる範囲が狭くなってしまう。
【００３３】
上記のように側面５ａの近傍からアーム７ｂが離れてしまう場合、親指３１で押せる範囲が狭くなるのを改善する方法がある。それは、表面２にほぼ垂直方向に前方に突き出しているアーム７ｂを、表面２側（内側）に少し傾けることである。これで、アーム先端６ｂは入力部３に少し近づき、親指３１で押せる範囲が大きくなる。この場合、アーム７ｂを垂直から２０度程度までなら傾けても、アーム先端６ｂから表面３までの距離は完全垂直時よりも７％程度表面２に近づくだけなので、親指の先がべったりと表面に接して入力作業がやりづらくなることはない。しかしながら、あまり傾け過ぎると、保持の際に握るように力を入れたときに、その応力でアームが変形または折れてしまうという不具合が生じるおそれがある。傾ける角度が垂直から離れれば離れるほど、変形等の可能性が大きくなる。
【００３４】
第２の実施の形態の更なる特長は、このアーム７ｂを折りたためることである。携帯電子端末は基本的には薄い平板状のもので、そういう形状だからこそ、持ち運びに便利である。ところが、表面２から垂直に突き出たアームを取り付けると、このアームは持ち運び時に邪魔になる。不使用時にはこのアームを除去したほうが良いが、この第２の実施の形態では、それが簡単に可能となる。
【００３５】
図８及び図９を用いてそれを説明する。図８は本発明の携帯電子端末保持具の第２の実施形態の不使用時の表面の斜視図である。図９は本発明の携帯電子端末保持具の第２の実施形態の不使用時の裏面の斜視図である。図６および図７と同じ構成要素については同じ符号を付している。
図９において、携帯電子端末１の裏面４に保持具の固着部８ｂが貼り付けられることにより固定されている。その上にブロック１２ａとブロック１２ｂとが固着している。ブロック１２ａとブロック１２ｂとの間に先が概略半円形で根元が細いアーム７ｂがある。このアーム７ｂの根元の端は蝶番の回転軸になっており、軸の両端はブロック１２ａとブロック１２ｂとにそれぞれ設けられた軸穴１３ａと軸穴１３ｂとに差し込まれて抜けないようになっている。そして、この側面５ａ近傍に設けられた蝶番の軸穴１３ａと軸穴１３ｂとに差し込まれた軸を中心にアーム７ｂは回転する。この回転軸は側面５ａに平行になっている。図６および図７にて表面２に対して垂直に突き出ていたアーム７ｂは、２７０度回転し、この図に見るように、裏面４上の固着部８ｂにぴったりと接するように折りたたまれる。
【００３６】
なお、ここで蝶番というのは、金属板二枚を金属丸棒を介して連結させた典型的なもののみを言うのではなく、広い意味での蝶番である。即ち、二つの物体が直線部分で連結され、その直線部分を中心として回転して物体間の角度を変えることのできるメカニカルな機構を蝶番と呼んでいる。
【００３７】
折りたたまれた様子を表面側から見ると図８のようになる。突き出ていたアーム７ｂは、裏面上に折りたたまれ、表面側からは根元しか見えない。このように折りたたまれた状態になると、携帯電子端末１からは大きな出っ張りはなくなり、鞄などにも入りやすくなり、不使用時に携帯して移動するのに好適となる。
【００３８】
また、この折りたたまれた様子を裏面側から見ると、図９のようになる。ここで、ブロック１２ａとブロック１２ｂとには、その内側に膨らんで少し突き出た瘤（こぶ）１４ａと１４ｂとがそれぞれ設けられており、これらの瘤でアーム７ｂを押さえることにより仮止めできるので、携帯電子端末１の不使用時の取扱の際に、アームがぶらぶらして邪魔になることはない。
【００３９】
先述した中で、裏面４上にまわした指が滑らない理由については摩擦力の他に大きな要素があることを後に述べるといったが、ここでそれを説明する。ブロック１２ａとブロック１２ｂとに関しては、側面５ａから裏面４側に約３ｃｍの奥行きを持っている。固着部８ｂからの高さは約１ｃｍ程度である。使用時には、裏面４上にまわした指の先は、この側面から約３ｃｍの場所にある上記の約１ｃｍの突起の角に指先を曲げて引っ掛けることができる。ブロック１２ａとブロック１２ｂとの角は物理的形状の突起なので、指先がしっかりと引っ掛かり、一般的な摩擦力よりも大きな滑り止めとなり、携帯電子端末１とアーム７ｂとをしっかり握り込めることになる。即ち、携帯電子端末１に固定されたブロック１２ａとブロック１２ｂとの二つの突起に指先が引っ掛かることにより、楽に確実に携帯電子端末１を保持できる。
【００４０】
次に、第２の実施の形態で行える更なる応用を説明する。図１０は本発明の携帯電子端末保持具の第２の実施形態の異なる使用時の表面の斜視図である。 図６〜図９と同じ構成要素については同じ符号を付している。図１０において、アーム７ｂは携帯電子端末１の側面５ａ側にも裏面４側にも接していない。アーム７ｂは側面５ａ側に接していた状態、正確に言うと側面５ａに接している固着部８ｂに接している状態から、約９０度ほど回転した状態でぶらぶらとしている。
【００４１】
この状態のときに、右手で携帯電子端末１を持った使用例を図１１に示す。図１１は本発明の携帯電子端末保持具の第２の実施形態の異なる使用時の斜視図である。 図６〜図１０と同じ構成要素については同じ符号を付している。図１０で示した状態の携帯電子端末１に対して、アーム７ｂの細くなった部分を間に挟むように右手の人差し指３２と中指３３とを表面２側から裏面４側に及ばせ、それらの指先をブロック１２ａとブロック１２ｂとの角に引っ掛ける。このようにすると、アーム７ｂの先の半円形の部分に人差し指３２と中指３３との甲部分が当たるので、携帯電子端末１が手から滑り落ちそうになっても、この甲の部分で落ちる動きが止められ、落ちることがない。即ち、安定して保持できる。この構成は、本願発明の主要点ではないが、実施の形態２において付属的に好ましい作用効果を発生させるものである。
【００４２】
なお、本実施の形態では、アームが折りたたまれる例を示したが、不使用時に邪魔になるアームは、軸穴１３ａと軸穴１３ｂとに差し込まれた軸を引き抜くことにより、アーム全体を取り外すという方法を採ることも可能である。この場合も、不使用時には、携帯電子端末１の表面２側に出っ張ったアームが無くなるので、携帯時にコンパクトな状態で携帯できる。
【実施例３】
【００４３】
図１２〜図１８を参照して、第３の実施の形態の携帯電子端末保持具の構成について説明する。各図で第１、第２の実施の形態と同じ構成要素については同じ符号を付す。図１２は、図３と同様、保持具を携帯電子端末１に取り付けた状態を主に携帯電子端末１の表面２側から見た斜視図である。携帯電子端末の具体例としてはスマートフォンである。携帯電子端末１の側面５ａに、保持具の一部である厚み２ｍｍの固着部８ｃの一部が接している。固着部８ｃの大部分は携帯電子端末１の裏面４側にあり、携帯電子端末１と粘着している。固着部８ｃの表面に取り付けられたブロック１２ｃの一部が側面５ａ側に少し突き出している。このブロック１２ｃの両側に剛性の高いアーム７ｃがある。アーム７ｃは根元が二つに分かれていて、どちらも側面５ａ近傍から表面２に対してほぼ垂直方向に前方に突き出ている。そして、アーム７ｃの両方の先端は連結され一体となって側面５ａに平行に伸びている。言い換えると、アーム７ｃはＵ字型になっており中空部分を有している。アームの根元の端部はどちらも軸になっており、これらの軸の先はブロック１２ｃに設けられた軸穴１３ｃと軸穴１３ｄとに差し込まれて抜けないようになっている。アーム７ｃを支持する根元部分が固定され、アーム７ｃが高剛性なので、アーム先端６ｃはその全長に亘り表面２から前方に約４ｃｍという延伸の長を保っている。なお、アーム先端６ｃの全長は約１０ｃｍである。
【００４４】
図１３は本発明の携帯電子端末保持具の第３の実施形態の使用時の斜視図である。右手の掌３６の中央にアーム先端６ｃを当てる。図１３に示す持ち方では、アーム先端６ｃのうちの上の側面５ｃに近い部分が掌３６に当てられている。そのまま、親指３１以外の指を携帯電子端末１の裏面４（図示せず）上にまわして裏面４の上に位置するブロック１２ｃ（図示せず）に引っ掛ける。指をブロック１２へ引っ掛ける具体的な態様については、図１５と共に後述する。そして、そのまま、掌３６と親指３１以外の指とで携帯電子端末１とアーム７ｃとを軽く握る。これで、携帯電子端末１は右手の中で手に対して固定され安定に保持することができる。この保持の安定に関しても、後で図１５と共に更に詳しく述べる。そして、自由の効く親指３１の指先で入力部３を自在に押して入力することができる。図１３に示す持ち方では、携帯電子端末１の上端（側面５ｃ）に比較的近いほうを握っているので、親指の届く範囲も入力部３の上端側が主になる。
【００４５】
次に、図１３とは持ち方を少し変えた実施形態を説明する。図１４は本発明の携帯電子端末保持具の第３の実施形態の使用時の斜視図であるが、図１３よりも携帯電子端末１の下端（側面５ｄ）に近いところで手で保持している。図１４に示す持ち方では、アーム先端６ｃのうちの下の側面５ｄに近い一部分が掌３６に当てられている。そのまま、親指３１以外の指を携帯電子端末１の裏面４（図示せず）上にまわして裏面４の上に位置するブロック１２ｃ（図示せず）に引っ掛ける。そして、そのまま、掌３６と親指３１以外の指とで携帯電子端末１と突起６ｃとを軽く握る。これで、携帯電子端末１は右手の中で手に対して固定され安定に保持することができる。そして、自由の効く親指３１の指先で入力部３を自在に押して入力することができる。図１４に示す持ち方では、携帯電子端末１の下端（側面５ｄ）に比較的近いほうを握っているので、親指の届く範囲も入力部３の下端側が主になる。
【００４６】
上記の持ち方を更に解り易く説明する。図１５は本発明の携帯電子端末保持具の第３の実施形態の使用時の矢示図である。図１４の矢印Ａ方向から見た図である。固着部８ｃは、粘着剤１０により携帯電子端末１に固定されている。ブロック１２ｃは最大約２ｃｍの高さで突起し固着部８ｃにしっかりと固定されている。ブロック１２ｃの軸穴１３ｃと１３ｄ（図示せず）とにアーム７ｃの根元の軸が差し込まれることにより、アーム７ｃがブロック１２ｃに軸で固定されている。即ち、アーム７ｃは側面近傍にあり側面に平行な回転軸を持つ軸穴１３ｃと１３ｄとを回転軸として蝶番のような回転をする。
【００４７】
このとき、ブロック１２ｃに人差し指３２、中指３３、薬指、小指を引っ掛ける。ブロック１２ｃは高さが約２ｃｍあり奥行きも約２ｃｍであり、しかも指に沿う丸い形状になっているので、各指を曲げると各指の先はブロック１２ｃの周囲に回り込んで充分に引っ掛かり滑ることはない。ブロックの適当な高さと奥行きの突起形状が指に引っ掛かり滑り止めとなっている。しっかりと指を引っ掛けるための突起の適当な高さと奥行きは、結局は、掌３６と指先とで握り込めるかどうかで決まる。その為には、掌３６に当たるアーム先端６ｃからブロック１２ｃの指が引っかかる部分までの長さが、拇指球３７から中指の第一関節までの長さと同じかそれ以下であることが必要である。具体的には、大きな手の人でも約１２ｃｍ以下であることが必要である。アーム先端６ｃからブロック１２ｃの指が引っかかる部分までの長さがそれ以上長くなると、どの指の指先も引っ掛からなくなり、しっかりと持つことが出来ない。一方、アーム先端６ｃからブロック１２ｃの指が引っかかる部分までの長さが短くなったときには、各指の第二関節で引っ掛けたり、または手全体を丸めたりすることでしっかりと持つことが出来る。しかし、あまりにも短くなり過ぎると、大きな握る力が必要となり手にかかる負担が大きくなる。通常の大人の手では約６ｃｍ〜９ｃｍ程度の長さが好適である。
【００４８】
指先を引っ掛けた後は、アーム先端６ｃを掌３６に当てて握るように軽く力を入れる。すると、アーム７ｃは、軸穴１３ｃ、１３ｄを中心とした蝶番メカニズムでは、握る力による応力が、図１５上での時計回転方向に働く。この力でアーム７ｃは側面５ａ側に動き、側面５ａの横の固着部８ａに当たることで停止し安定する。このようにして、アーム７ｃが回転して固定しない機構を有するにもかかわらず、それらを握り込むことにより、携帯電子端末１とアーム７ｃとをしっかりと安定して保持することが可能となる。
【００４９】
ここで、ブロック１２ｃの寸法について説明する。ブロック１２ｃに指が引っ掛かることは、本実施の形態を実現するための重要な条件である。本件発明は、掌３６と親指以外の指とで握るものであるが、このとき、親指以外の指の付け根が、通常は側面５ａの真横あたりに来る。その位置から親指以外の指を曲げて指をブロック１２ｃに引っ掛けるためには寸法上の制約がある。少なくとも一番長い中指３３が引っ掛かるためのブロック１２ｃの寸法は、手の大きい人でも高さ約３ｃｍ以下、奥行き約３ｃｍ以下のものであることが望ましい。それ以上の大きなものになると、指を引っ掛けるのに困難を伴う。ここで、奥行きというのは、側面５ａからブロック１２ｃの最も離れている部分までの裏面４に沿った距離である。
【００５０】
なお、このようにアームと側面との間に固定手段がなくアームがぶらぶらと自由に可動であっても、握るように力を入れることにより、アームが側面側に当たって静止固定されてしまうことは、同じようにアームが自由に回転する先述の実施の形態２においても同様のことが言える。
【００５１】
親指３１の自由度に関しては、図１４の持ち方の時には、親指の先端の届く入力範囲がやや狭くなる。それは、アーム先端６ｃが掌３６のみならず親指３１と人差し指３２との股の部分にも当たり、その分、親指３１の動きが制限されるからである。しかしながら、この第３の実施の形態では、総合的に考えると、図１３のようによりも携帯電子端末１の上端（側面５ｃ）に近いところで持ったり、図１４のように携帯電子端末１の下端（側面５ｄ）に近いところで持ったり、簡単に持ち方を変更できる。しかも、それらの持ち方を掌３６をアーム先端６ｃ上をスライドさせるように手を移動させるだけで容易に変更できる。そして、これらの持ち方の変更により全体として広い範囲の入力が可能となる。故に、この実施の形態は、縦長の大きな入力部即ち縦長の大きな画面を持つ携帯電子端末に対して有利な手段となる。
【００５２】
図１６は本発明の携帯電子端末保持具の第３の実施形態の不使用時の裏面の斜視図である。アームを使用しないときは、アーム７ｃは、ブロック１２ｃに設けられた軸穴１３ｃおよび軸穴１３ｄ（図示せず）を中心に蝶番として２７０度回転し、携帯電子端末１に固着した固着部８ｃに接するように折りたたむことができる。アームの中空部分にブロック１２ｃがすっぽり入ってしまうので、アーム７ｃが裏面に沿うように折りたたむことができるのである。この図１６で示すような折りたたまれた状態になると、携帯電子端末１からは大きな出っ張りはなくなり、不使用時に携帯して移動するのに好適となる。
【００５３】
ここで、ブロック１２ｃは２ｃｍの高さの突起となっている。先に述べたとおり、握ることに関する必要寸法としては高さ３ｃｍ以下なのであるが、携帯の便宜を考えると、もしも裏面から３ｃｍも出っ張りがあるとかなり邪魔になる。本実施の形態のように２ｃｍ程度なら一般使用者に受け入れられるであろう。それも、本実施の形態のように角が無く丸くなっているほうが、色々な人の指にフレキシブルに沿うことができるので望ましい。
【００５４】
次に、第３の実施の形態で行える更なる応用を説明する。図１７は本発明の携帯電子端末保持具の第３の実施形態の異なる使用時の表面の斜視図である。 図１２〜図１６と同じ構成要素については同じ符号を付している。図１７において、アーム７ｃは携帯電子端末１の側面５ａ側の固着部８ｃにも裏面４側の固着部８ｃにも接していない。アーム７ｃは表面２から前方に突き出ていた状態から約９０度ほど回転した状態でぶらぶらとしている。
【００５５】
この状態のときに、右手で携帯電子端末１を持った状態を図１８に示す。図１８は本発明の携帯電子端末保持具の第３の実施形態の異なる使用時の斜視図である。 図１７で示した状態の携帯電子端末１に対して、アーム７ｃの中空部分に右手の人差し指３２と中指３３と薬指と小指とを挿入する。そして、それらの指の先を表面２側から裏面４側に及ばせ、それらの指先をブロック１２ｃに引っ掛ける。このようにすると、アーム７ｃにこれら四本の指の甲側が当たるので、もしも手が滑っても甲で止まり、携帯電子端末１が手から滑り落ちることがなく、安定して保持できる。この構成は、本願発明の主要点ではないが、実施の形態３においてアーム７ｃの中空部分を利用して付属的に好ましい作用効果を発生させるものである。
【００５６】
なお、使用しないときにアーム７ｃが回転して自由にぶらぶらして邪魔になるという場合は、その対策手段として、固定部８ｃまたはブロック１２ｃにアーム７ｃの一部を仮止めするような膨らんだ瘤をつけて仮固定する構成を追加して改善することができる。これは、実施の形態２の図９にて説明した瘤１４ａ、瘤１４ｂと同様である。
【００５７】
この実施の形態では、アーム７ｃが回転して折りたたまれる例を示した。しかしながら、不使用時に邪魔になるアームは、取り外すという方法を採ることもできる。軸穴１３ｃと軸穴１３ｄとに差し込まれたアーム７ｃの端を引き抜くことにより、アーム７ｃ全体を取り外す設計にすることも容易である。この場合も、不使用時には、携帯電子端末１の表面２側に出っ張ったアームが無くなるので、嵩張らずに携帯できる。
【００５８】
あるいは、大きく設計を変更し、ブロック１２ｃの裏側に可撓性の円形吸盤を設け、この吸盤を固着部８ｃに代替させる方法もある。使用時は吸盤を携帯電子端末１に吸着させ、不使用時にはこの吸盤を外すことにより、ブロック１２ｃもアーム７ｃも共に取り外す。このように、保持具を全て簡単に取り付け取り外しができるような構成も実現可能である。
【実施例４】
【００５９】
図１９から図２１を参照して、第４の実施の形態の携帯電子端末保持具の構成について説明する。各図で第１、第２、第３の実施の形態と同じ構成要素については同じ符号を付す。図１９は本発明の携帯電子端末保持具単体の第４の実施形態の斜視図である。一枚の厚み２ｍｍ、横幅６ｃｍのプラスチックの板で保持具のほぼ全てが構成されている。このプラスチックの板の一部がアーム７ｄであり、その先端がアーム先端６ｄである。アーム７ｄに連続して携帯電子端末１側に凹、即ち外側に凸となった湾曲部１６ａがある。湾曲部１６ａに連続して平坦部１７ａがある。平坦部１７ａの平面に対して、湾曲部１６ａの一番高い部分は約２ｃｍの高さがある。平坦部１７ａの先には約９０度曲がった折り曲げ部９ｂがあり、約８ｍｍの長さを持っている。その折り曲げ部９ｂの先端に約５ｍｍ程度の長さの凸部である締め付け部１８ａの部分がある。また、アーム７ｄの内側に約５ｍｍの高さおよび幅の帯状凸部である締め付け部１８ｂがある。
【００６０】
上記の保持具単体を、携帯電子端末１に取り付けた状態を図２０に示す。具体的には縦長さ約２０ｃｍ、横幅約１２ｃｍ、厚み約１ｃｍのＰＣタブレット端末である。図２０は本発明の携帯電子端末保持具の第４の実施形態の裏面の斜視図である。平坦部１７ａを裏面４に当て、締め付け部１８ａで側面５ｂを挟む。同時に、アーム７ｄを側面５ａに接し、締め付け部１８ｂを表面２（図示せず）に回し込んで側面５ａを挟む。即ち、携帯電子端末１は締め付け部１８ａ、折り曲げ部９ｂ、平坦部１７ａ、アーム７ｄ、締め付け部１８ｂによって相対する側面５ａと側面５ｂとが挟まれて固定される。アーム７ｄと折り曲げ部９ｂとの間の距離は、側面５ａと側面５ｂとの間の距離よりもやや短く設計されているので、湾曲部１６ａがやや開いた状態で側面が挟まれる。そして、湾曲部１６ａを含み保持具全体がプラスチックであり弾力性があるので、この弾力の戻りの力で保持具は携帯電子端末１に固定される。各部分が少しずつ関わって締め付ける構造であるが、直接的には、締め付け部１８ａと締め付け部１８ｂとにかかる締め付けの応力でアーム７ｄが固定される。この固定により、アーム７ｄは側面５ａ近傍から表面２側に垂直に突き出し、アーム先端６ｄは表面２から前方に約３．５ｃｍ延伸して携帯電子端末１に取り付けられる。
【００６１】
このような保持具を持つ方法は、先述の実施の形態同様に、アーム先端６ｄを掌３６（図示せず）に当て、親指以外の複数の指を湾曲部１６ａに当てて、そのまま握るように軽く力を入れる。湾曲部１６ａは裏面４上の平坦部１７ａから約２ｃｍの高さの突起なので、その突起が親指以外の複数の指の引っ掛かりとなり、指が滑らずしっかり持つことができる。握る力は、アーム７ｄを内側に押す応力となり、締め付け部１８ｂも内側に押すことになるので、保持具と携帯電子端末１との固定も更に強固なものとなる。そして、このとき、親指３１（図示せず）はこの握ることによる保持には関与していないので、自由に入力部を押さえて入力することができる。この親指入力は、先述の各実施の形態同様、仰視で携帯電子端末１を使用する際も同じである。
【００６２】
なお、湾曲部１６ａの平坦部１７ａからの突起量は、高すぎると指が回りこまないので、通常２ｃｍ、最大約３ｃｍ程度が適当である。また、湾曲部の形成するアーチの幅、即ち、側面５ａから平坦部１７ａまでの奥行きは、これも長すぎると指が回りこまないので、通常２ｃｍ、最大約３ｃｍ程度が適当である。この突起の適当な寸法は、しっかりと指を引っ掛けて握ることができるかどうかで決定される。即ち、掌３６と指先とで握ることができるかどうかで決まる。その為には、掌３６に当たるアーム先端６ｄから湾曲部１６ａの主に指が引っかかる部分までの長さが、拇指球３７から中指の第一関節までの長さと同じかそれ以下であることが必要である。アーム先端６ｄから湾曲部１６ａの指が引っかかる部分までの長さがそれ以上長くなると、どの指の指先も引っ掛からなくなり、しっかりと持つことが出来ない。一方、逆に短くなるほうは、第二関節で引っ掛けるなど握りを小さくして対応可能であるが、あまりにも短くなり過ぎると、大きな握る力が必要となり手に負担がかかる。本実施例の場合は、アーム先端から突起の指が引っかかる部分までの具体的長さは、湾曲の曲線部も含めておよそ８ｃｍ程度である。湾曲部は丸いので広い範囲に分散して指先が引っ掛かっているのであるが、中心的箇所は、湾曲部１６ａの頂上を過ぎて平坦部１７ａに至る中間の４５度のあたりとして曲線定規で測定し上記の約８ｃｍを得ている。なお、このように突起に角が無く丸くなっているほうが、様々な手の大きさに対応できる。
【００６３】
第４の実施の形態の保持具の取り付けは、プラスチックの弾力性を利用して挟んでいるだけなので、握る力を抜いて保持具を側面５ｃ側に押すと、側面５ａに沿ってスライドさせることができる。図２１は図２０と同じく本発明の携帯電子端末保持具の第４の実施形態の裏面の斜視図である。図２１ではアーム７ｄを含む保持具全体が、図２０の位置に比べると、携帯電子端末の側面５ｃ側にスライドし移動している。このようにスライドできるのは、側面５ａと側面５ｂとが平行なためである。このことにより、アーム先端を携帯電子端末１の上端側（側面５ｃ側）に持っていったり、逆に下端側（側面５ｄ側）に持っていったりの位置変更が側面に沿ったスライドにより容易にできる。そして、スライドすることにより、親指で入力する指の届く範囲を変更したい場合に非常に便利となる。特に、ＰＣのタブレット端末では、スマートフォンに比べて画面すなわち入力部の大きさが大きいので、一箇所からの親指の届く範囲が限定的となる。そこで、このように親指の固定位置を簡単に変更できると、親指での入力範囲が用意に改善される。
【００６４】
以上の四つの各実施の形態は右手で保持して右手親指で入力する例を示した。しかしながら、左手でも全く同様の保持、入力操作をすることができる。その場合、保持具の取り付け位置は上記各実施の形態で示した位置と全く左右対称の位置に取り付ける。即ち、右の側面５ａ側に取り付けていたものを、左の側面５ｂ側に取り付けることで、左手に関しても右手と同じように安定した入力を行うことができる。第１、第２、第３、第４の実施の形態で図面で示した保持具は全て左右対称形になっている。従って、最初に携帯電子端末１に固着部を取り付ける際に、右手で使うなら右の側面５ａに、左手で使うなら左の側面５ｂに取り付ければよいという共用性、融通性を持っている。
【００６５】
特に、第４の実施の形態の保持具は、湾曲したプラスチックの弾力性を利用して固定しているので、着脱が簡単である。アーム先端６ｄを持って湾曲部１６ａを広げるように引っ張ると、保持具は携帯電子端末１から容易に取り外しすることができる。そこで、右手で使用していて、もしも手が疲れたら、すぐに取り外して左右対称に逆向きにして携帯電子端末１に再装着し、左手で持って、継続使用することができる。それで疲れたら、また元通り右手用に装着しなおせばよい。
【実施例５】
【００６６】
図２２から図２４を参照して、第５の実施の形態の携帯電子端末保持具の構成について説明する。各図で第１、第２、第３、第４の実施の形態と同じ構成要素については同じ符号を付す。図２２は本発明の携帯電子端末保持具単体の第５の実施形態の斜視図である。一枚の厚み２ｍｍ、横幅６ｃｍのプラスチックの板を変形して保持具のほぼ全てが構成されている。このプラスチックの板の一部がアーム７ｅであり、その先端がアーム先端６ｅである。アーム７ｅに連続して携帯電子端末側が凹となった湾曲部１６ｂがある。湾曲部１６ｂに連続して平坦部１７ｂがある。平坦部１７ｂに連続して湾曲部１６ｃがある。平坦部１７ｂの平面に対して、湾曲部１６ｂおよび湾曲部１６ｃの一番高い部分は約２ｃｍの高さがある。湾曲部１６ｃに連続してアーム７ｆがある。その先端がアーム先端６ｆである。また、アーム７ｅとアーム７ｆとのそれぞれの内側に、約５ｍｍの高さおよび幅の帯状凸部であるである締め付け部１８ｃと締め付け部１８ｄとが各々ある。
【００６７】
上記の保持具単体を携帯電子端末１に装着した状態を図２３に示す。携帯電子端末の具体例としてはタブレット端末である。図２３は本発明の携帯電子端末保持具の第５の実施形態の裏面の斜視図である。平坦部１７ｂを裏面４に当て、アーム７ｅを側面５ａに接し、締め付け部１８ｃを表面２（図示せず）に回し込んで側面５ａを挟む。同時に、アーム７ｆ（図示せず）を側面５ｂに接し、締め付け部１８ｄ（図示せず）を表面２（図示せず）に回し込んで側面５ｂを挟む。湾曲部１６ｂと湾曲部１６ｃをはじめ、保持具全体がプラスチックであり弾力性があるので、弾力の戻りの力で保持具は携帯電子端末１にしっかりと取り付けられている。即ち、締め付け部１８ｃ、アーム７ｅ、平坦部１７ｂ、アーム７ｆ、締め付け部１８ｄにて携帯電子端末１の裏面４と相対する側面５ａと側面５ｂとが挟まれて締め付けられている。この締め付け固定により、アーム７ｅは側面５ａ近傍から表面２側に垂直に突き出し、アーム先端６ｅは表面２から延伸して携帯電子端末１に装着される。同様に、アーム７ｆは側面５ｂ近傍から表面２側に垂直に突き出し、アーム先端６ｆは表面２から延伸して携帯電子端末１に装着される。即ち、２個のアームが相対する左右両方の側面近傍にそれぞれ１個ずつある。
【００６８】
このような保持具を持つ方法は、右手で持つ場合は、第４の実施の形態で説明したものと全く同様である。アーム先端６ｅを右手の掌に当て、湾曲部１６ｂに他の指を当て、アーム７ｅと湾曲部１６ｂとを軽く握る。湾曲部１６ｂが指先の引っ掛かる突起となっている。握る力の応力によって、保持具の携帯電子端末１への固定が更に強固なものになるのも、第４の実施の形態と同様である。
【００６９】
このとき、もう一方のアーム７ｆは使われていない。そして、アーム７ｆは側面５ｂに沿って表面２側にほぼ垂直に突き出しているので、右手親指で入力部３（図示せず）を押す場合にも、その入力部３が兼ねている表示部を目で見る場合にも、全く障害にならない。
【００７０】
次に、左手で持つ場合であるが、右手で持つ方法と全く左右対称に持てばよい。即ち、アーム先端６ｆを左手の掌に当て、左手でアーム７ｆと湾曲部１６ｃとを軽く握る。これで、左手の親指で右手と全く同様に入力ができる。右手は要らない。このように、本実施の形態では、右手と左手との持ち替えが非常に簡単にできる。右手で持って疲れてくると左手、左手が疲れてくると右手、と持ち替えて、長時間継続して保持と入力を続けることができる。
【００７１】
また、プラスチックの弾力性を利用して挟んで保持具を取り付けているだけなので、保持具を携帯電子端末１の側面５ｃ方向に押すと、側面５ａに沿ってスライドさせることができる。図２４は図２３と同じく本発明の携帯電子端末保持具の第５の実施形態の裏面の斜視図である。図２４ではアーム７ｅとアーム７ｆとを含む保持具全体が、図２３の位置より、携帯電子端末の上端側すなわち側面５ｃ側にスライドし移動している。この側面５ａと側面５ｂとに沿ったスライド移動により、アーム先端を携帯電子端末１の上端側（側面５ｃ側）に持っていったり、下端側（側面５ｄ側）に持っていったりの位置変更が容易にできる。簡単にスライドするので、親指で入力する指の届く範囲を変更したい場合に非常に便利である。
【００７２】
なお、アームは左右に二つだけとは限らない。上下にあっても良い。多くの携帯電子端末の表示は、ポートレート（縦長）で表示するか、ランドスケープ（横長）で表示するか切り替えられるようになっている。本実施の形態では、ポートレート表示に対して、左右の二つのアームがある例を示した。しかし、ランドスケープ表示の場合には、それを見るには、上下即ち側面５ｃと側面５ｄとの二箇所にアームがある方が自然な態勢で保持できる。四つの側面全てにアームがあっても良い。これらのアームは、そのアームを握りこんでいないときにも側面に垂直に前方に出ているだけなので、表示を視認する邪魔にはならず、また、親指入力の邪魔にもならない。複数の側面の近傍それぞれにアームがあることが、直ぐに手を持ち替える際の利便性を与える。
【実施例６】
【００７３】
図２５と図２６とを参照して、第６の実施の形態の携帯電子端末保持具の構成について説明する。各図で第５の実施の形態と同じ構成要素については同じ符号を付す。図２５は本発明の携帯電子端末保持具単体の第６の実施形態の斜視図である。図２６は本発明の携帯電子端末保持具単体の第６の実施形態の不使用時の斜視図である。形状および使用方法は、第５の実施の形態および図２２で示したものとよく似ている。即ち、携帯電子端末１への装着は、平坦部１７ｃを裏面４（図示せず）に当て、アーム７ｇを側面５ａ（図示せず）に接し、締め付け部１８ｅを表面２（図示せず）に回し込んで側面５ａを挟む。同時に、アーム７ｈを側面５ｂ（図示せず）に接し、締め付け部１８ｆを表面２に回し込んで側面５ｂを挟む。即ち、２個のアームが相対する左右両方の側面近傍に１個ずつある。このようにして、使用時には、第５の実施の形態と全く同じように使用ができる。なお、締め付けのメカニズムの詳細は後述する。
【００７４】
更に、使用しないときには、この保持具を取り外して折りたたむことができる。第５の実施の形態では、湾曲部と平坦部とは一枚の板を曲げ加工することで連結されていたが、本実施の形態では、湾曲部１６ｄと平坦部１７ｃとは切り離されて、蝶番１９ａにて連結されている。蝶番１９ａの回転軸は裏面４および側面５ａに平行になっている。この蝶番１９ａを動かすことにより、図２５に見るように平坦部１７ｂに対して立っている位置の湾曲部１６ｄを、図２６に見るように寝ている位置に動かすことができる。湾曲部と連結していて一緒に動くアーム７ｇも寝ている位置に動かされ折りたたまれる。即ち、アーム７ｇはその根元の蝶番で回転することにより折りたたまれる。一方、アーム７ｈの根元の湾曲部１６ｅと平坦部１７ｃとの関係もこれと全く同様であり、蝶番１９ｂの回転軸は裏面４および側面５ｂに平行になっている。そして、この回転軸の回りを回転することにより、図２６に見るように、湾曲部１６ｅとそれと連結して一緒に動くアーム７ｈとは寝ている位置に折りたたまれる。図２６はこのように左右のアームを折り曲げて折りたたんだところを表した斜視図である。湾曲部自身は折りたたんでも湾曲部分の寸法はそのままなので、最大限にコンパクトになっているとまでは言えないが、使用時に比べると、全体の厚みが半分以下に小さくなっている。
【００７５】
これを再度使用するときには、折りたたんだ両方のアーム７ｇと７ｈをひろげて立てる。ここで、互いに平行になったアーム７ｇとアーム７ｈとの距離は、携帯電子端末の横幅即ち側面５ａと側面５ｂとの距離よりもやや短く設計されている。そこで、この立てたアームの間に携帯電子端末１を挟むと、湾曲部１６ｄと湾曲部１６ｅとは、多少開く。そして、この開いたことによる戻りの弾力はアーム７ｇとアーム７ｈとが携帯電子端末１から外れるような応力として働くが、各アームに取り付けられた締め付け部１８ｅと締め付け部１８ｆとがその応力を受け止め、保持具が外れるのを阻止する。このような締め付けのメカニズムにより、取り付けが安定した固定状態となる。即ち、締め付け部１８ｅと１８ｆとによって側面５ａと側面５ｂとを挟んで締め付けることにより前記アームを前記携帯電子端末に取り付けられる。正確に細かく言うと、この固定状態を作るには、締め付け部１８ｅと１８ｆだけではなくアーム７ｇとアーム７ｈも挟み込みに寄与しており、携帯電子端末の表裏方向の固定には、締め付け部１８ｅと１８ｆだけではなく平坦部１７ｃも寄与している。また、その締め付ける力は湾曲部１６ｄと１６ｅとの弾力性から生じている。これら総合的作用を直接的に言うと、締め付け部１８ｅと１８ｆとによる締め付けで取り付けられているという言い方になる。
【００７６】
なお、図２６のように折りたたんだ保持具には、その平坦部１７ｃとアーム７ｇ、７ｈとの間に間隔が約１ｃｍの空間がある。この空間に携帯電子端末１を挿入することもできる。携帯電子端末を持ち運びする場合には、このように保持具の間に携帯電子端末を入れ込むと、嵩張らないので便利である。
【００７７】
また、上記のように、折りたたんだ保持具の間に携帯電子端末を入れた状態でも、入力さえしなければ、携帯電子端末を使用する、即ち見ることができる。この場合は、表面２側に接するアーム７ｇおよびアーム７ｈが透明であると便利である。アーム７ｇとアーム７ｈとが透明であれば、これらのアームを透して表面２上の表示を見ることができる。即ち、アームを折りたたんだ時にも見るだけなら限定的に使用ができる。この場合、アームで入力部を押さえても反応しないので、そのアームの上から親指で押さえて裏面側の平坦部をその他の指で押さえることにより、携帯電子端末を入力部の上から手で掴んだままで表示を見ることもできる。
【実施例７】
【００７８】
図２７と図２８とを参照して、第７の実施の形態の携帯電子端末保持具の構成について説明する。各図で先述の実施の形態と同じ構成要素については同じ符号を付す。図２７は本発明の携帯電子端末保持具の第７の実施形態の不使用時の表面の斜視図である。図２７において、具体例としてはタブレット端末である携帯電子端末１（図示せず）は、厚み約２ｍｍの表面カバー２４ａ、２４ｂ、２４ｃ、２４ｄの付いたケース２３の中にすっぽりと入っている。表面カバーは、側面５ｂ側が開口側であり、側面５ａ側がケース２３と繋がっている。表面カバーは４つの部分２４ａ、２４ｂ、２４ｃ、２４ｄに分かれて繋がっておりそれぞれは硬い。そして、それぞれの境界である境界線Ｐ、境界線Ｑ、境界線Ｒ、そして表面カバーとケース２３との境界線Ｓの４つの直線部分で蝶番のように回転して折り曲げ可能となっている。これらの境界線は側面５ａおよび側面５ｂに平行になっている。表面カバーの４つの部分の幅はそれぞれ、表面カバー２４ａは２ｃｍ、表面カバー２４ｂは２．５ｃｍ、表面カバー２４ｃは５ｃｍ、表面カバー２４ｄは２．５ｃｍである。表面カバー２４ａの上には４つの雌のホック２５ａ、２５ｂ、２５ｃ、２５ｄが埋め込まれている。表面カバー２４ｃの上には２つの雄のホック２５ｅ、２５ｆが埋め込まれ、表面カバー２４ｄの上には２つの雌のホック２５ｇ、２５ｈが埋め込まれている。このように、不使用時には、携帯電子端末１はすっぽりと表面カバーとケースに覆われている。
【００７９】
図２８は本発明の携帯電子端末保持具の第７の実施形態の使用時の表面の斜視図である。携帯電子端末１を使用するときには、図２８のように、表面カバーを開いて表面２の上にある入力部３を露出させる。具体的には、表面カバー２４ｄを境界線Ｓを中心に９０度開く。その表面カバー２４ｄに対して境界線Ｒを中心に表面カバー２４ｃを１８０度開く。このとき、雄のホック２５ｅと雌のホック２５ｇはぴったりと合う位置にあり両者が嵌り合う。同様に、雄のホック２５ｆと雌のホック２５ｈはぴったりと合う位置にあり両者が嵌り合う。こうして、表面カバー２４ｄと表面カバー２４ｃとが固定される。更に、その表面カバー２４ｃに対して境界線Ｑを中心に表面カバー２４ｂを１８０度近く開く。すると、表面カバーの端部である表面カバー２４ａがケース２３の裏面に当たる。この当たる部分の付近には、雌のホック２５ａ、２５ｂ、２５ｃ、２５ｄに対応する位置にそれぞれ雄のホック（図示せず）が埋め込まれている。ここで、表面カバー２４ａを境界線Ｐで数十度折り曲げることにより、この雄雌を嵌め合う。これにより、カバー２４ａ、２４ｂ、２４ｃ、２４ｄは完全に固定されてぶらぶらと動かない。
【００８０】
図２８には、上述のように表面カバーを開いて固定した図が表現されている。この形は、本願発明に当てはめると、表面カバー２４ｄとそれの裏側の表面カバー２４ｃの半分が、「側面近傍から表面に対して垂直方向に突き出たアーム」に相当する。そして、境界線Ｒの付近がアームの先端に相当する。また、表面カバー２４ｃの残り半分と表面カバー２４ｂとが「指先の引っ掛かる突起」に相当する。表面カバー２４ｄの幅が２．５ｃｍなので、アーム相当部分は側面５ａ近傍から２．５ｃｍ表面に対して前方に延伸している。また、表面カバー２４ｃの幅が５ｃｍなので、突起相当部分はアーム先端から５ｃｍのところにある。
【００８１】
この携帯電子端末１の持ち方は、境界線Ｒの部分に掌を当て、親指以外の指を表面カバー２４ｃから表面カバー２４ｂのほうに及ぼし、親指以外の指の先を表面カバー２４ｂに引っ掛けて握る。親指は自由になるので、その親指で入力部３に入力する。構成の形は、第３の実施の形態と似ている。また、その長所も図１３および図１４で説明したのと同じく、アーム先端上をスライドさせるように手を移動させるだけで容易に持つ位置を変更できる。そして、この持ち方の変更により全体として広い範囲の入力が可能となる。
【実施例８】
【００８２】
図２９から図３３を参照して、第８の実施の形態の携帯電子端末保持具の構成について説明する。各図で先述の実施の形態と同じ構成要素については同じ符号を付す。図２９は本発明の携帯電子端末保持具の第８の実施形態の裏面の斜視図である。具体例としてはスマートフォンである携帯電子端末１の裏面４に厚さ約４ｍｍの固着部８ｄが貼り付け固定されている。固着部８ｄには貫通孔２２が多数設けられている。各貫通孔はそれぞれ平行になっており、側面５ａ側と側面５ｂ側とに開口部を持っている。アーム７ｉがこの固着部８ｄに取り付けられ、先端６ｉが携帯電子端末１の表面側の前方に略人差し指と中指の指の股から拇指球までの長さで延伸している。具体的には約３ｃｍの長さが表面２（図示せず）より前方に突き出している。
【００８３】
図３０は図２９と同様の本発明の携帯電子端末保持具の第８の実施形態の裏面の斜視図であるが、アーム７ｉの取り付け方法を更に詳しく説明するためのものである。アーム７ｉは約２ｍｍの直径の金属線を曲げ加工したものである。中央でＵの字に曲げたところがアーム先端６ｉに相当する。アーム先端から約４ｃｍの箇所で金属線を２本共に直角に曲げ加工し折り曲げ部９ｃを形成し、そこから約５ｃｍの直線部分の挿入棒２１ａを２本形成する。この挿入棒２１ａを貫通孔２２に挿入することにより、図２９のようなアーム位置での取り付けをするものである。アームの金属線の径と貫通孔２２の径とは非常に近似した寸法に作ってあるので、簡単には抜け難くなっている。
【００８４】
このようにして構成された保持具の保持方法は、第１の実施の形態で説明したものと同様、右手の掌３６（図示せず）の中央にアーム先端６iを当てる。好ましくは拇指球３７か小指球３８かのすぐ内側に当てる。そして、そのまま、親指３１以外の指（図示せず）を携帯電子端末１の裏面４上にまわして裏面上に固定されている固着部８ｄを押さえる。そのまま握ることにより保持することができる。そして、親指３１（図示せず）が自由に動かせるので、親指３１で入力を行う。
【００８５】
このとき、固着部８ｄの表面は平面なので、握るように力を入れたときに指が滑りやすい。そこで第一の実施の形態で示したような指との摩擦力の大きい滑り止めをこの表面に設けたり、または第２、第３の実施の形態で示したような突起を設けたりすると、更に保持しやすくなる。
【００８６】
更に、本実施の形態では、固定部８ｄにある貫通孔２２が多数並んで設置されているので、挿入棒２１ａを挿入する孔を細かく選ぶことができる。即ち、アーム７ｉの位置を細かく調整することができる。或る一つの位置で親指入力の範囲に少し不便があれば、孔を一個ずらして挿入棒２１ａを入れ直し、不便を解消することもできる。
【００８７】
図３１は図３０と同様の本発明の携帯電子端末保持具の第８の実施形態の裏面の斜視図であるが、アームの取り付けに関する更なる応用を説明するためのものである。ここではアームを携帯電子端末１の左右両側に取り付けられることを示す。ここで、アーム７ｉの取り付けは図３０と同様である。即ち、挿入棒２１ａは、固定部８ｄの側面５ａ側の貫通孔２２に挿入される。そして、アームは同じ物がもう一つ用意されている。即ち、別のアーム７ｊがあり、折り曲げ部９ｄで曲げられ挿入棒２１ｂに繋がっている。このアーム７ｊは側面５ｂ側の貫通孔２２に２本の挿入棒２１ｂを挿入することにより取り付けられる。貫通孔２２は多くの孔が並んで固定部８ｄを貫通しているので、挿入棒２１ｂを挿入棒２１ａの隣の貫通孔２２に挿入することにより、アーム７ｊはアーム７ｉとほぼ左右対称に近い位置に取り付けることができる。
【００８８】
このようにして二つのアームを取り付けられた携帯電子端末は、左右両方の手で使える。これは第５の実施の形態で説明した長所と同じである。即ち、右手で持つ場合はアーム７ｉを使用するが、このときには、アーム７ｊは入力部すなわち表示部を見るのに全く視界を遮らないし、親指で入力する邪魔にもならない。そして、直ぐに左手でアーム７ｊを持ち、右手を離すことで、非常に容易に持ち替え可能である。左手で持った場合も、空いているアーム７ｉが表示部を見る視界を遮ることはないし、左手親指の入力を邪魔することはない。
【００８９】
そして、携帯電子端末を使用しないときには、これらの挿入棒２１ａと挿入棒２１ｂとを引き抜いてアーム７ｉとアーム７ｊとを取り外すことができる。挿入棒２１ａと挿入棒２１ｂとはその直径が貫通孔２２と非常に近似した寸法で作られているので、通常の操作では簡単には抜けないが、ゆっくりとやや強い力で直線的に引き抜くと、貫通孔２２から抜き取ることができる。
【００９０】
なお、一つのアームを片側に取り付ける為には、孔は貫通孔である必要は無い。多数の孔を並べて左右の両方向から、様々な位置にアームを取り付ける為に、本実施の形態では貫通孔を採用している。
【００９１】
次に、第８の実施の形態の応用例を説明する。図３２は本発明の携帯電子端末保持具の第８の実施形態の裏面の異なる使用時の斜視図である。図３２で図３０、図３１と同じ構成要素については同じ符号を付す。この応用例では、図３０で説明したものと同じアーム７ｉが取り付けられている。そして、それに加えて更にアーム７ｋが取り付けられている。 アーム７ｋは折り曲げ部９ｅで曲げられ挿入棒２１ｃに繋がっている。２本の挿入棒２１ｃは貫通孔２２のうち、挿入棒２１ａの内側にある貫通孔２２に挿入されている。そして、挿入棒は完全挿入されずに約３ｃｍほど残して挿入されている。即ち、アーム７ｉとアーム７ｋとは約３ｃｍ程度の隔たりがある。
【００９２】
上記のような二重にアームを挿入した保持具の持ち方を次に説明する。図３３は本発明の携帯電子端末保持具の第８の実施形態の異なる使用時の斜視図である。即ち、上記の応用例の右手での持ち方を示している。図３０から図３２と同じ構成要素については同じ符号を付す。持ち方は、まず右手の掌をアーム７ｉとアーム７ｋとの間に差し入れ、中指３３と薬指３４との間に挿入棒２１ｃを位置させる。次にアーム７ｉを掌に当て、親指以外の指の先を裏面４の上の固定部８ｄの上に置き軽く握る。これで保持は完成し、親指が自由に動くので入力できる。これは、図３０で説明したところの第８の実施の形態の基本形と同じである。
【００９３】
違うところは、親指以外の指で握るのをやめても携帯電子端末１が手から落ちないことである。
落ちない理由は、挿入部２１ｃが中指３２と薬指３３との間の指の股に当たり、また、アーム７ｋが手の甲３９に当たって、そこで落下の応力を支えるからである。このようにして、握らなくても右手で保持したままで、右手親指での入力が可能となる。
【００９４】
なお、挿入棒と孔との固定方法は、本実施の形態では、挿入棒の直径と孔の直径を近似させることにより、いわゆる「嵌め合い」により固定したが、それに限るものではない。挿入棒とアームとを形成する金属棒の弾性力を利用する方法もある。即ち、２本の挿入棒の間隔を、挿入すべき貫通孔の間隔よりもやや広くしておき、両挿入棒を力を入れて両側から挟み、挿入棒の間隔を孔の間隔に合わせて挿入する。そうすると、孔の中で挿入棒が弾性力により広がり、孔の内壁に押し付けられる。この押し付けられた摩擦力で挿入棒は孔に固定される。
【００９５】
また、別の固定方法として、挿入棒の先端に、釣り針の先端のような「返し」を設けておいて固定する方法もある。更に別の固定方法としては、孔の内壁全体をスポンジのような伸縮性および弾力性のある素材にして、その摩擦力で挿入棒を抜けなくする方法もある。一時的に固定しておき随時引き抜けるという固定方法は他にも色々あるが、本願発明の主題ではないので省略する。
【００９６】
本願発明の主題は、各々の実施の形態で詳しく説明したように、片手で保持して、その親指で自由に入力することである。そして、携帯電子端末を仰視の角度で保持しても、その親指入力ができることである。
【実施例９】
【００９７】
図３４と図３５とを参照して、第９の実施の形態の携帯電子端末保持具の構成について説明する。各図で先述の実施の形態と同じ構成要素については同じ符号を付す。図３４は本発明の携帯電子端末保持具の第９の実施形態の使用時の裏面の斜視図である。アーム７ｍが携帯電子端末１の側面５ａの近傍から携帯電子端末１の表面２（図示せず）に対してほぼ垂直方向に突き出て、アーム７ｍの端に有るアーム先端６ｍは表面２から前方に約３ｃｍ延伸している。
【００９８】
アーム７ｍのアーム先端６ｍと反対側は突起部２６に連続している。即ち、アーム７ｍと突起部２６とは一枚の平板で出来ている。突起部２６の端部は内側（携帯電子端末１側）に約９０度湾曲している。そして、アーム先端６ｍから突起部２６の端部までは約７ｃｍの長さがある。突起部２６の内側の一部に蝶番１９ｄが取り付けられて、突起部２６は、この蝶番１９ｄにより平板状の中間板２７の一端に接続されている。蝶番１９ｄの回転軸は携帯電子端末１の側面５ａおよび裏面４に平行となっている。中間板２７の他端には蝶番１９ｃが取り付けられ、中間板２７は、この蝶番１９ｃにより板状の固定部８ｅの一端に接続されている。蝶番１９ｃの回転軸は裏面４にほぼ沿っている。固定部８ｅは粘着剤で裏面４に固定されている。固定部８ｅの他端は曲がっており、側面５ａに沿っている。固定部８ｅの側面５ａに沿った部分の表面には雌のホック２５ｊが取り付けられている。アーム７ｍと突起部２６とのほぼ中間部分に雄のホック２５ｉが取り付けられており、ホック２５ｊと嵌り合っている。以上の構造により、アーム７ｍが携帯電子端末１に取り付けられている。蝶番１９ｃと蝶番１９ｄとの回転により、アーム７ｍ、突起部２６、中間板２７は自由に動く構造なのであるが、ホック２５ｉとホック２５ｊとが嵌まり合うことにより、アーム７ｍ、突起部２６、中間板２７の位置が固定され動かなくなっている。
【００９９】
このような携帯電子端末と保持具とを持つ方法は、アーム先端６ｍを掌３６（図示せず）に当て、人差し指３２、中指３３、薬指３４（どれも図示せず）を突起部２６に当て、それらの指の先端を曲げて第一関節を突起部の端部に引っ掛ける。そのまま軽く握ることにより保持することができる。アーム先端６ｍから突起部２６の端部までは約７ｃｍの長さなので、通常の手の大きさの人の拇指球から中指の第一関節までの長さよりやや短く、掌と指とを引っ掛けて握ることができるものである。突起部２６が角ばらずに湾曲しているので各指が沿いやすく握りやすい。このようにして保持すると、仰視の角度に携帯電子端末１を持ってきても親指３１（図示せず）が自由に動くので、仰視での片手保持入力が可能となることは、先の実施例と同様である。
【０１００】
次に、この保持具の折りたたみ方を説明する。図３５は本発明の携帯電子端末保持具の第９の実施形態の携帯電子端末の不使用時の裏面の斜視図である。保持具を折りたたんだ図である。図３４の使用状態から、ホック２５ｉとホック２５ｊとの嵌め合いを離すと、アーム７ｍと突起部２６とは蝶番１９ｄを中心に自由に回転して動く。また、このとき、中間板２７も蝶番１９ｃを中心に自由に回転して動く。そこで、中間板２７を裏面４に当てる。そして、中間板２７の上にアーム７ｍと突起部２６とを重ねる。このとき、中間板２７の中央には雌のホック２５ｋがあり、これに先ほどの雄のホック２５ｉが嵌まり合う。これで中間板２７とアームとが固定される。しかも、アーム先端６ｍが固定部８ｅに接しているので、蝶番１９ｃを中心にした回転も止められる。以上により、保持具が裏面４上にコンパクトに折りたたまれ固定される。
【０１０１】
以上説明したように、何れの実施の形態も全て、寝転んで仰向けで使用する際に、従来例で示したようなベッド等への固定の為の支柱をつける必要が無い。支柱無しで、片手で保持してその親指で入力出来るので、容易に場所を移動出来る。しかも、片手で保持と入力の両方の操作が出来るので、取り扱いの自由度が更に増すという大きな長所を有している。
【０１０２】
更には、保持具は左右の側面５ａ、５ｂに取り付ける方法に限るものではない。使用者個人個人の好みにより、携帯電子端末１の下の側面５ｄ側に保持具を取り付け、掌で掬い受けるような格好で持ってもよいし、上の側面５ｃ側に保持具を取り付けて、ぶら下げるような格好で持ってもよい。また、左右の側面に保持具を取り付けるときにも、上端（側面５ｃ側）に近い位置に取り付けるか、下端（側面５ｄ側）に近い位置に取り付けるかは、個人個人の手の大きさや頻繁に押すキー位置などを考慮して、所望の位置に取り付ければよい。
【０１０３】
また、アームの数も一つに限るものではない。複数のアームをどの側面の近傍に取付けても良い。アームを取付けた側面で掌で保持できるので、携帯電子端末の長方形の表示部に対して、ポートレート形（縦長）で見る為の保持方法として左右の二つのアームを取付けても良いし、ランドスケープ形（横長）で見る為の保持方法として上下に二つのアームを取付けても良い。四角形の携帯電子端末の4つの辺全てに各々アームを取付けても良い。握りこむのに使われていない時のアームは、全く視認の邪魔にはならないし、親指入力の邪魔にもならない。
【０１０４】
なお、本願発明はスマートフォンと呼ばれる静電容量入力方式の携帯電子端末の例について多く説明したが、本願発明は指の先で押さえるタイプの入力をする全ての携帯電子端末について適用することができる。即ち、例えば携帯電話機では、ＢｒａｃｋＢｅｒｒｙ（ブラックベリー社の商標）のボタン入力タイプにも適用可能であるし、タブレット端末と呼ばれる携帯型パーソナルコンピュータにも適用可能である。
【０１０５】
なお、各実施の形態では、固着部とアームとを有する保持具を、携帯電子端末の一部分に装着する例を多く示したが、固着部は携帯電子端末の裏面と側面とをすっぽり覆うようなケースであってもよい。更には、保持具は後付けするのではなく、携帯電子端末本体に当初から装着されているものでもよい。
【産業上の利用可能性】
【０１０６】
本発明の携帯電子端末保持具は、簡便な手段で、携帯電子端末の保持を確実にしながら、且つ、仰視の角度で保持する際も片手だけで入力操作することが可能となり、有用である。
【符号の説明】
【０１０７】
１  携帯電子端末
２  表面
３  入力部
４  裏面
５ａ、５ｂ、５ｃ、５ｄ  側面
６ａ、６ｂ、６ｃ、６ｄ、６ｅ、６ｆ、６ｇ、６ｈ、６ｉ、６ｊ、６ｍ  アーム先端
７ａ、７ｂ、７ｃ、７ｄ、７ｅ、７ｆ、７ｇ、７ｈ、７ｉ、７ｊ、７ｋ、７ｍ  アーム
８ａ、８ｂ、８ｃ、８ｄ、８ｅ  固着部
９ａ、９ｂ、９ｃ、９ｄ、９ｅ  折り曲げ部
１０  粘着材
１１  粗面部
１２ａ、１２ｂ、１２ｃ  ブロック
１３ａ、１３ｂ、１３ｃ、１３ｄ  軸穴
１４ａ、１４ｂ  瘤
１６ａ、１６ｂ、１６ｃ、１６ｄ、１６ｅ  湾曲部
１７ａ、１７ｂ、１７ｃ  平坦部
１８ａ、１８ｂ、１８ｃ、１８ｄ、１８ｅ、１８ｆ  締め付け部
１９ａ、１９ｂ、１９ｃ、１９ｄ  蝶番
２１ａ、２１ｂ、２１ｃ  挿入棒
２２  貫通孔
２３  ケース
２４ａ、２４ｂ、２４ｃ、２４ｄ  表面カバー
２５ａ、２５ｂ、２５ｃ、２５ｄ、２５ｅ、２５ｆ、２５ｇ、２５ｈ、２５ｉ、２５ｊ、２５ｋ  ホック
２６  突起部
２７  中間板
３１  親指
３２  人差し指
３３  中指
３４  薬指
３５  小指
３６  掌
３７  拇指球
３８  小指球
３９  手の甲
４１  頭
４２  顔
４３  腕
４４  手
４５  枕
４６  ベッド
５１  アームスタンド
５２  クリップ
５３  支柱
５４  クランプ
５５  蝶ネジ
５６  ベッド背板
【要約】
【課題】
ベッドなどで仰視して携帯電子端末に入力する際に、従来の携帯電子端末の保持具は固定場所が必要で重く嵩張り設置に手間がかかり、しかも携帯できなかった。
【解決手段】
略四角形の平板状であり指で押さえることにより入力する入力部のある表面とその反対側の裏面と前記表面と前記裏面との間の側面とを有する携帯電子端末に取り付けられ、前記入力部の前記側面近傍から前記表面に対して垂直方向に突き出たアームを有し、前記アームの先端は前記表面から前方に略人差し指と中指の指の股から拇指球までの長さで延伸しており、掌の中央部を前記アームの先端に当て、前記裏面上に親指以外の複数の指を当て、前記掌の中央部と前記親指以外の複数の指にて前記携帯電子端末と前記アームとを挟んで握ることによって保持しながら、親指で入力部を押さえて入力する、携帯電子端末保持具。
【選択図】図１【図１】
0005665035.tif 000002
【図２】
0005665035.tif 000003
【図３】
0005665035.tif 000004
【図４】
0005665035.tif 000005
【図５】
0005665035.tif 000006
【図６】
0005665035.tif 000007
【図７】
0005665035.tif 000008
【図８】
0005665035.tif 000009
【図９】
0005665035.tif 000010
【図１０】
0005665035.tif 000011
【図１１】
0005665035.tif 000012
【図１２】
0005665035.tif 000013
【図１３】
0005665035.tif 000014
【図１４】
0005665035.tif 000015
【図１５】
0005665035.tif 000016
【図１６】
0005665035.tif 000017
【図１７】
0005665035.tif 000018
【図１８】
0005665035.tif 000019
【図１９】
0005665035.tif 000020
【図２０】
0005665035.tif 000021
【図２１】
0005665035.tif 000022
【図２２】
0005665035.tif 000023
【図２３】
0005665035.tif 000024
【図２４】
0005665035.tif 000025
【図２５】
0005665035.tif 000026
【図２６】
0005665035.tif 000027
【図２７】
0005665035.tif 000028
【図２８】
0005665035.tif 000029
【図２９】
0005665035.tif 000030
【図３０】
0005665035.tif 000031
【図３１】
0005665035.tif 000032
【図３２】
0005665035.tif 000033
【図３３】
0005665035.tif 000034
【図３４】
0005665035.tif 000035
【図３５】
0005665035.tif 000036
【図３６】
0005665035.tif 000037